(57)【要約】【課題】装置の小型化を実現すると共に、シートが安定して分離パッドに当接し、シートの重送が発生する可能性を低くできる手段を提供する。【解決手段】給送装置７０は、支持面１８８を有する固定支持部１８５と、支持面１９３を有しており、支持面１８５，１９３が実質的に一平面となる第１位置、及び支持面１８５，１９３が交差する第２位置に回動可能な可動支持部１８６と、第１位置にある可動支持部１８６に支持された記録用紙を給送向き８６に給送する給送ローラ７５と、給送ローラ７５を回転可能に支持する給送アーム７６と、支持面１８５の上端含み且つ給送ローラ７５と対向する位置に設けられた分離パッド１７０と、を具備する。可動支持部１８６が第１位置であるとき、分離パッド１７０の上面１７２の上端は、支持面１８８より凹むように湾曲されている。【選択図】図６
2015193446.tif 000002
【特許請求の範囲】
【請求項１】
シートを支持する第１支持面を有する固定支持部と、
シートを支持する第２支持面を有しており、少なくとも、上記第１支持面及び上記第２支持面が実質的に一平面となる第１位置、及び上記第１支持面に対して上記第２支持面が交差する第２位置に上記固定支持部に対して移動可能な可動支持部と、
上記第１位置にある上記可動支持部の上記第２支持面と上記第１支持面とに支持されたシートを給送向きに給送する給送ローラと、
上記給送ローラを回転可能に支持する一端部、及び上記固定支持部に設けられている軸に対して回動可能な他端部を有するアームと、
上記第１支持面において上記第２支持面側の端を含み且つ上記給送ローラと対向する位置に設けられた分離パッドと、を具備しており、
上記分離パッドは、その表面が、上記第２支持面側の端において、上記第１位置であるときの上記第２支持面より凹むように曲げられている給送装置。
【請求項２】
上記可動支持部は、上記第２支持面から上記分離パッドへ向かって突出する凸片を有する請求項１に記載の給送装置。
【請求項３】
上記可動支持部は、上記第２支持面の上記第１支持面側の端に沿って、上記第１位置であるときに上記第１支持面より膨出する膨出部を有しており、
上記膨出部は、上記分離パッドに対応する位置の膨出端が、それ以外の膨出端より上記第１支持面側に低いものである請求項１又は２に記載の給送装置。
【請求項４】
請求項１から３のいずれかに記載の給送装置と、
上記給送ローラによって給送されたシートに画像を記録する記録部と、を備える画像記録装置。
【発明の詳細な説明】
【技術分野】
【０００１】
本発明は、支持部に支持されたシートを給送する給送装置、及び当該給送装置を備えた画像記録装置に関する。
【背景技術】
【０００２】
従来より、傾斜状態の支持部が、積層状態の複数枚のシートを支持しており且つ当該シートが支持部の傾斜に沿って斜め下向きに給送されるように構成されている給送装置が知られている（特許文献１）。この給送装置においては、支持部に支持されている複数枚のシートが、給送ローラにより給送向きへ給送される。複数枚のシートが重なった状態のままで給送されることを防止するために、支持部において給送ローラと対向する位置には、コルクなどのシートとの摩擦が生じやすい分離パッドが設けられている。
【先行技術文献】
【特許文献】
【０００３】
【特許文献１】特開２００１−１０６３４６号公報
【発明の概要】
【発明が解決しようとする課題】
【０００４】
傾斜状態の支持部が、装置の載置面に占める面積を小さくするために、すなわち装置の小型化のために、支持部の一部を重力方向に沿った縦向きに回動可能とする構成が提案されている。支持部の一部を回動させる構成では、回動軸に沿ってシートの支持面が分割される。２つの支持面は、できる限り同一面となることが好ましいが、回動のためのガタなどにより、２つの支持面を全くの同一面とすることは困難である。つまり、２つの支持面には段差が生じることが一般的である。
【０００５】
装置の小型化のためには、支持部のうち回動可能な可動部分が大きいことが望ましい。他方、給送ローラから搬送経路の湾曲ないし屈曲部分までの距離は、様々なシートの強度（いわゆるシートの腰）を考慮して設定される。これらの条件を満たそうとすると、給送ローラや分離パッドは、可動部分に近い位置にレイアウトされることがある。しかしながら、分離パッドが回動軸の近くにレイアウトされると、２つの支持面に段差によってシートが分離パッドに接触する角度などが不安定となり、分離パッドに対してシートが浮き上がってしまうおそれがある。その結果、分離パッドの性能が発揮されず、複数枚のシートが重なった状態のまま給送されるおそれが高くなる。
【０００６】
本発明は、上記問題に鑑みてなされたものであり、その目的は、装置の小型化を実現すると共に、シートが安定して分離パッドに当接し、シートの重送が発生する可能性を低くできる手段を提供することにある。
【課題を解決するための手段】
【０００７】
(1)  本発明に係る給送装置は、シートを支持する第１支持面を有する固定支持部と、シートを支持する第２支持面を有しており、少なくとも、上記第１支持面及び上記第２支持面が実質的に一平面となる第１位置、及び上記第１支持面に対して上記第２支持面が交差する第２位置に上記固定支持部に対して移動可能な可動支持部と、上記第１位置にある上記可動支持部の上記第２支持面と上記第１支持面とに支持されたシートを給送向きに給送する給送ローラと、上記給送ローラを回転可能に支持する一端部、及び上記固定支持部に設けられている軸に対して回動可能な他端部を有するアームと、上記第１支持面において上記第２支持面側の端を含み且つ上記給送ローラと対向する位置に設けられた分離パッドと、を具備する。上記分離パッドは、その表面が、上記第２支持面側の端において、上記第１位置であるときの上記第２支持面より凹むように曲げられている。
【０００８】
これにより、可動支持部が分離パッドに接触して、分離パッドが摩耗したり剥がれたりすることを防止できる。また、第２支持面に支持されたシートが分離パッドの端に当接することがなく、シートと分離パッドとの当接状態が安定する。
【０００９】
(2)  上記可動支持部は、上記第２支持面から上記分離パッドへ向かって突出する凸片を有するものであってもよい。
【００１０】
凸片により、第２支持面と分離パッドとの隙間を小さくできる。
【００１１】
(3)  上記可動支持部は、上記第２支持面の上記第１支持面側の端に沿って、上記第１位置であるときに上記第１支持面より膨出する膨出部を有しており、上記膨出部は、上記分離パッドに対応する位置の膨出端が、それ以外の膨出端より上記第１支持面側に低いものであってもよい。
【００１２】
膨出部により、第２支持面に沿って第１支持面側へ挿入されるシートが第１支持面の端に当接することが防止される。また、分離パッドに対応する位置の膨出端が、それ以外の膨出端より低いので、膨出端と分離パッドとの段差が小さく、シートが安定して分離パッドに当接する。
【００１３】
(4)  本発明は、上記給送装置と、上記給送ローラによって給送されたシートに画像を記録する記録部と、を備える画像記録装置として捉えられてもよい。
【発明の効果】
【００１４】
本発明によれば、可動支持部を第２位置とすることにより装置の小型化が実現される。また、回動により可動支持部が分離パッドと接触することが防止できる。また、シートが分離パッドの端に当接することがなく、シートが安定して分離パッドに当接し、シートの重送が発生する可能性を低くできる。
【図面の簡単な説明】
【００１５】
【図１】図１は、可動支持部１８６が起立状態（第２位置）の複合機１０の外観斜視図である。
【図２】図２は、プリンタ部１１の内部構造を示す縦断面図である。
【図３】図３は、可動支持部１８６が倒伏状態（第１位置）のバイパストレイ７１を示す斜視図である。
【図４】図４は、可動支持部１８６が除かれた状態の複合機１０の後面側の外観斜視図である。
【図５】図５は、複合機１０の縦断面図であり、押さえアーム７３が第１位置の状態が示されている。
【図６】図６は、図５の破線の矩形枠部分の拡大図である。
【図７】図７は、可動支持部１８６が第１位置であるときの支持部材１８９，１９２及び分離パッド１７０を示す斜視図である。
【図８】図８は、図７のVIII−VIII断面を示す断面図である。
【図９】図９は、可動支持部１８６が第２位置であるときの図７のVIII−VIII断面を示す断面図である。
【発明を実施するための形態】
【００１６】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００１７】
［複合機１０の全体構成］
図１に示されるように、複合機１０は、概ね直方体に形成されており、インクジェット記録方式で記録用紙などのシートに画像を記録するプリンタ部１１を備えている。複合機１０は、ファクシミリ機能及びプリント機能などの各種の機能を有している。
【００１８】
プリンタ部１１は、前面に開口１３が形成された筐体１４を有している。また、各種サイズの記録用紙を収容可能な給送トレイ２０及び排出トレイ２１が、開口１３から前後方向８に挿抜可能である。筐体１４の底面が、複合機１０が設置される載置面に当接する。
【００１９】
図２に示されるように、プリンタ部１１は、給送トレイ２０から記録用紙を給送する給送部１５、記録用紙に画像を記録する記録部２４、第１搬送ローラ対５９、及び第２搬送ローラ対１８０などを備えている。
【００２０】
図１に示されるように、プリンタ部１１の上方には、スキャナ部１２が設けられている。スキャナ部１２の筐体１６の前後方向８及び左右方向９の寸法は、プリンタ部１１の筐体１４と同じである。したがって、プリンタ部１１の筐体１４及びスキャナ部１２の筐体１６が一体となって、複合機１０の概ね直方体形状の外形を形成している。スキャナ部１２は、フラットベッドスキャナである。なお、フラットベッドスキャナの構造は公知であるので、ここでは詳細な説明が省略される。また、スキャナ部１２には、複数枚の原稿を１枚ずつ分離して搬送する自動原稿搬送装置（ＡＤＦ）が設けられていてもよい。
【００２１】
［プリンタ部１１］
以下、プリンタ部１１の詳細な構造が説明される。プリンタ部１１は画像記録装置の一例である。
【００２２】
［給送トレイ２０］
図１及び図２に示される給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙を支持面で支持することにより記録用紙を収容可能である。給送トレイ２０は、筐体１４の開口１３に通ずる内部空間に着脱自在に装着される。この給送トレイ２０は、開口１３を通じて筐体１４に対して前後方向８に沿って進退可能である。
【００２３】
［給送部１５］
図２に示されるように、給送部１５は、給送ローラ２５、給送アーム２６、駆動伝達機構２７及び分離パッド１８１を備えている。給送部１５は、給送トレイ２０の上方であって記録部２４の下方に設けられている。給送ローラ２５は、給送アーム２６の先端部に回転可能に軸支されている。給送アーム２６は、基端部に設けられた回動軸２８を中心として、矢印２９の方向に回動する。これにより、給送ローラ２５は、給送トレイ２０の支持面に対して当接及び離間が可能である。したがって、記録用紙を収容して給送トレイ２０が筐体１４内に装着されたとき、給送ローラ２５は、給送トレイ２０に収容された記録用紙に当接可能である。記録用紙を収容していない給送トレイ２０が筐体１４内に装着されたとき、給送トレイ２０の支持面に、給送ローラ２５が当接する位置には分離パッド１８１が設けられている。分離パッド１８１は、記録用紙に対して、給送トレイ２０の支持面の摩擦係数より大きな摩擦係数を有する材料で形成されている。
【００２４】
給送ローラ２５には、モータ（不図示）の駆動力が駆動伝達機構２７を通じて伝達される。駆動伝達機構２７は、回動軸２８に伝達された回転を無端ベルトにより給送ローラ２５の軸へ伝達する。給送ローラ２５が、給送トレイ２０の支持面上に支持された記録用紙のうち一番上側の記録用紙に当接された状態で回転することにより、当該記録用紙が搬送経路６５へ給送される。記録用紙が搬送経路６５へ給送されるとき、記録用紙の先端が、給送トレイ２０の前後方向８の後側に設けられた分離部材１９７と当接する。その結果、一番上側の記録用紙のみが下側の記録用紙から分離されて搬送される。そして、一番上側の記録用紙よりも下側の記録用紙は、一番上側の記録用紙に引き摺られることなく給送トレイ２０内に収容されたままで保持される。
【００２５】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。
【００２６】
湾曲路６５Ａは、記録用紙が通過可能な空間を隔てて対向する外側ガイド部材１８、内側ガイド部材１９、及びガイド部材３１によって規定されている。直線路６５Ｂは、記録用紙が通過可能な空間を隔てて対向する記録部２４及びプラテン４２、並びにガイド部材３４及びガイド部材３３によって規定されている。
【００２７】
給送トレイ２０の給送ローラ２５によって搬送経路６５に沿って給送された記録用紙は、湾曲路６５Ａに沿って下方から上方へ向かって搬送向きが反転され、直線路６５Ｂに沿って搬送向きが反転することなく後方から前方へ向かって搬送される。
【００２８】
外側ガイド部材１８は、湾曲路６５Ａに沿って記録用紙が搬送されるとき、外側の案内面を構成する部材である。内側ガイド部材１９は、湾曲路６５Ａに沿って記録用紙が搬送されるとき、内側の案内面を構成する部材である。なお、各案内面は、１つの面で構成されていてもよいし、複数のリブの先端面の群として構成されていてもよい。
【００２９】
ガイド部材３１は、第１搬送ローラ対５９の直上流（後ろ側）において内側ガイド部材１９の上方に配置されている。外側ガイド部材１８及びガイド部材３１は、後述されるバイパス経路１８２を規定する部材でもある。
【００３０】
［後面カバー２２］
図２に示されるように、後面カバー２２は、外側ガイド部材１８を支持して筐体１４の後面の一部を構成する部材である。後面カバー２２は、下側の左右両端において筐体１４に対して回動可能に軸支されている。後面カバー２２が、下側の左右方向９に沿った回動軸周りに、上側が後ろ向きへ倒伏するように回動することにより、後述されるバイパス経路１８２の一部が筐体１４の外方に開放（露出）される。
【００３１】
外側ガイド部材１８も、後面カバー２２と同様に、下側の左右両端において筐体１４に対して回動可能に軸支されている。後面カバー２２が後ろ向きへ倒伏するように回動された状態において、外側ガイド部材１８も、下側の左右方向９に沿った回動軸周りに、上側が後ろ向きへ倒伏するようにして回動可能である。外側ガイド部材１８が後ろ向きへ倒伏するように回動することにより、湾曲路６５Ａの少なくとも一部が開放（露出）される。図２に示されるように、後面カバー２２が起立状態となるように閉じられると、外側ガイド部材１８は、後面カバー２２に後方から支持されて起立状態に維持され、内側ガイド部材１９と対向して湾曲路６５Ａを規定する。
【００３２】
［第１搬送ローラ対５９及び第２搬送ローラ対１８０］
図２に示されるように、搬送経路６５における記録部２４よりも搬送向き（前後方向８の前向き）の上流側には、第１搬送ローラ対５９が設けられている。第１搬送ローラ対５９は、第１搬送ローラ６０とピンチローラ６１とを有する。搬送経路６５において、記録部２４よりも搬送向きの下流側には、第２搬送ローラ対１８０が設けられている。第２搬送ローラ対１８０は、第２搬送ローラ６２と拍車ローラ６３とを有する。第１搬送ローラ６０及び第２搬送ローラ６２は、モータ（不図示）の回転が伝達されて回転する。第１搬送ローラ対５９及び第２搬送ローラ対１８０は、それぞれを構成する各ローラの間に記録用紙を挟持した状態において、第１搬送ローラ６０及び第２搬送ローラ６２が回転することによって、記録用紙を搬送する。
【００３３】
［記録部２４］
図２に示されるように、第１搬送ローラ対５９と第２搬送ローラ対１８０との間に記録部２４が設けられている。記録部２４は、キャリッジ４０と記録ヘッド３９とを備えている。キャリッジ４０は、プラテン４２の後側及び前側に設けられたガイドレール４３，４４によって左右方向９に往復動可能に支持されている。ガイドレール４４には、公知のベルト機構が設けられている。キャリッジ４０は、ベルト機構の無端ベルトと連結されており、無端ベルトの回動によってガイドレール４３，４４に沿って左右方向９に往復動する。キャリッジ４０と記録ヘッド３９とが、プラテン４２と空間を隔てて対向しているとき、キャリッジ４０、記録ヘッド３９、及びプラテン４２は、直線路６５Ｂの一部を規定する。
【００３４】
記録ヘッド３９は、キャリッジ４０に搭載されている。記録ヘッド３９の下面には、複数のノズル（不図示）が形成されている。記録ヘッド３９には、インクカートリッジ（不図示）からインクが供給される。記録ヘッド３９は、複数のノズルからインクを微小なインク滴として選択的に吐出する。キャリッジ４０が左右方向９へ移動しているときに、ノズルからプラテン４２に支持されている記録用紙に対してインク滴が吐出される。吐出されたインク滴がプラテン４２上の記録用紙に付着することにより、記録用紙に画像が記録される。
【００３５】
［バイパス経路１８２］
図２に示されるように、筐体１４の後面において後面カバー２２の上方に開口１８４が設けられている。筐体１４の内部には、開口１８４から第１搬送ローラ対５９へと延びるバイパス経路１８２が形成されている。バイパス経路１８２は、筐体１４の内部において前後方向８の後方から前方へ斜め下方に向かって延びる経路である。バイパス経路１８２は、ガイド部材３１、外側ガイド部材１８及び後面カバー２２によって規定されている。ガイド部材３１は、バイパス経路１８２に沿って記録用紙が搬送されるとき、上側の案内面を構成する部材である。外側ガイド部材１８及び後面カバー２２は、バイパス経路１８２に沿って記録用紙が搬送されるとき、下側の案内面を構成する部材である。搬送経路６５の湾曲路６５Ａ及び直線路６５Ｂは、いずれもバイパス経路１８２より下方に配置されている。外側ガイド部材１８及び後面カバー２２が、上側が後ろ向きへ倒伏するように回動することによって、搬送経路６５の一部と共にバイパス経路１８２の一部が筐体１４の外方に開放（露出）される。
【００３６】
後述されるバイパストレイ７１に収容された記録用紙は、バイパス経路１８２に沿って斜め下方へ案内される。その記録用紙は、搬送経路６５の直線路６５Ｂに沿って案内され、第１搬送ローラ対５９により搬送される。その記録用紙は、更に記録部２４によって画像記録が行われて、排出トレイ２１へ排出される。このように、バイパストレイ７１に収容された記録用紙は、ほぼ直線形状の経路（記録用紙の表面と裏面とが上下方向７において反転することのない経路）に沿って搬送される。
【００３７】
［給送装置７０］
図５及び図６に示されるように、プリンタ部１１は、給送装置７０を備えている。給送装置７０は、バイパストレイ７１と、給送ローラ７５と、給送アーム７６と、不図示の給送用モータと、駆動伝達機構７９と、押さえアーム７３と、分離部材７２と、を備えている。
【００３８】
［バイパストレイ７１］
図１及び図５に示されるように、複合機１０の後面側には、バイパストレイ７１が設けられている。バイパストレイ７１は、給送トレイ２０とは独立して記録用紙を収容するものである。
【００３９】
図１及び図４に示されるように、スキャナ部１２の筐体１６の後面側には、開口１８４（図２参照）を覆うようにして下方へ延びる固定支持部１８５が設けられている。固定支持部１８５は、バイパストレイ７１の搬送向き下流側の一部を構成している。図３に示されるように、固定支持部１８５の上側には、可動支持部１８６が固定支持部１８５に対して回動可能に設けられている。固定支持部１８５及び可動支持部１８６によって、バイパストレイ７１が構成されている。
【００４０】
図４に示されるように、固定支持部１８５の上面には、左右方向９に沿って延びるスリット形状の開口１８７が形成されている。バイパストレイ７１には、この開口１８７からバイパス経路１８２（図２参照）へと至る通路が形成されている。図３に示されるように、固定支持部１８５には、支持面１８８（第１支持面の一例）を有する支持部材１８９が設けられている。支持面１８８は、バイパス経路１８２（図２参照）まで斜め下方へ延びている。支持部材１８９の下端は、バイパス経路１８２に沿って搬送される記録用紙を案内するガイド面の一部を形成している。
【００４１】
図２に示されるように、固定支持部１８５における支持部材１８９の下方には、分離部材７２が設けられている。分離部材７２は、上下方向７において開口１８４とほぼ同等の高さに位置されている。分離部材７２の上面は、バイパストレイ７１に支持される記録用紙の先端が当接する面である。分離部材７２の上面における左右方向９のほぼ中央部には、分離片６９が設けられている。分離片６９は、分離部材７２の上面から上方へ突出されて前後方向８に沿って並んでいる複数の歯６９Ａを有する。分離片６９の歯６９Ａによって、バイパストレイ７１に支持される複数枚の記録用紙の先端が捌かれる。なお、図３においては、分離片６９が省略されている。
【００４２】
支持部材１８９の上端側であって支持面１８８の上方には、図３に示されるように、給送アーム７６（図６参照）の回動軸６６を回転可能に支持する補強部材１８３が設けられている。補強部材１８３に支持された給送アーム７６の回動軸６６に、不図示の給送用モータから駆動伝達機構７９を介して駆動力が伝達されることにより、給送ローラ７５が回転する。
【００４３】
図４に示されるように、固定支持部１８５における左右方向９の右側には、複数のピニオンギアからなる駆動伝達機構７９が設けられている。駆動伝達機構７９には、プリンタ部１１の筐体１４の内部に設けられた給送用モータ（不図示）から駆動力が伝達される。回動軸６６は、左右方向９に沿って延出されており、その一端が駆動伝達機構７９を構成するピニオンギアと噛合している。駆動軸の他端は、固定支持部１８５における左右方向９の中央まで延出されている。
【００４４】
回動軸６６には、給送アーム７６が回動可能に支持されている。すなわち、給送アーム７６の基端側（他端部の一例）は、回動軸６６周りに回動自在である。この給送アーム７６の回動先端（一端部の一例）に給送ローラ７５が回転可能に支持されている。給送アーム７６は、回動軸６６から支持部材１８９の支持面１８８へ向かって下方へ延出されている。給送アーム７６は、固定支持部１８５における左右方向９の中央に配置されている。
【００４５】
給送ローラ７５は、回動軸６６と不図示の無端ベルトによって連結されている。回動軸６６の回転が無端ベルトによって給送ローラ７５に伝達され、給送ローラ７５が回転する。給送ローラ７５が、支持面１８８に支持された記録用紙のうち一番上側の記録用紙に当接された状態で回転することにより、この一番上側の記録用紙がバイパス経路１８２に沿って給送向き８７（図６参照）に給送される。この一番上側の記録用紙より下側の記録用紙は、分離部材７２の分離片６９によって捌かれて、一番上側の記録用紙に引き摺られることなくバイパストレイ７１に保持される。その結果、一番上側の記録用紙だけが他の記録用紙から分離され、バイパス経路１８２に沿って給送向き８７へ給送される。このように、給送ローラ７５、回動軸６６、及び給送アーム７６から構成される給送部が、筐体１４の外側であって支持面１８８の上方の空間に配置されている。
【００４６】
図３及び図５に示されるように、可動支持部１８６は、固定支持部１８５の上側に固定支持部１８５に対して回動可能に設けられている。可動支持部１８６は、図１に示されるように上下方向７に沿って起立した起立状態（第２位置の一例）と、図５に示されるように上下方向７に対して傾斜した倒伏状態（第１位置の一例）との間で回動可能である。
【００４７】
起立状態とは、筐体１４の後面側における可動支持部１８６のためのスペースを小さくするための状態であり、バイパストレイ７１の不使用状態である。起立状態である可動支持部１８６の後面は、筐体１４の後面と略平行となっている。起立状態の可動支持部１８６は、回動先端が回動基端のほぼ直上に位置している。起立状態において、支持面１８８と支持面１９３とは交差する配置である。
【００４８】
倒伏状態とは、可動支持部１８６を筐体１４の外側へ向かって斜め上方へ傾斜させることにより、傾斜した支持面１８８，１９３を実質的に１つの平面とした状態であり、バイパストレイ７１の使用可能状態である。倒伏状態の可動支持部１８６は、回動先端が回動基端よりも上方に位置しており、かつ回動先端が回動基端よりも筐体１４の後面から離れるように傾斜している。可動支持部１８６を起立状態とするか倒伏状態とするかは、ユーザが任意に操作することにより選択可能である。
【００４９】
図１及び図３に示されるように、可動支持部１８６の左右方向９の両側には、側壁１９０，１９１が設けられている。側壁１９０，１９１は、固定支持部１８５の左右方向９の両側の一部をそれぞれ覆っている。固定支持部１８５の左右方向９の右側に設けられた駆動伝達機構７９は、可動支持部１８６の側壁１９０によって覆われている。
【００５０】
図３に示されるように、可動支持部１８６の側壁１９０，１９１の間に渡って、支持部材１９２が設けられている。倒伏状態において、支持部材１９２の上面に設けられた支持面１９３は、支持面１８８と実質的に同一の平面をなす。つまり、バイパストレイ７１において、支持部材１８９の支持面１８８及び支持部材１９２の支持面１９３によって形成される面４５が記録用紙を支持する。起立状態において、支持面１９３は、複合機１０の載置面に対して直交する、つまり上下方向７及び左右方向９に沿った状態となる。なお、本実施形態において複合機１０が載置される載置面は、左右方向９と前後方向８とに沿って拡がる面である。ここで、「実質的に１つの平面（同一の平面）」とは、２つの面の間に僅かに段差があったとしても、支持された記録用紙が撓んだり湾曲したりしない平面のこと、すなわち、上述した分離部材７２（分離片６９）により安定した分離性能が発揮されるように記録用紙を支持する平面のことをいう。
【００５１】
図３に示されるように、支持部材１９２には、一対のサイドガイド１９４が設けられている。一対のサイドガイド１９４は、左右方向９に離間されて設けられており、支持面１９３より上方へ突出されている。サイドガイド１９４は、バイパストレイ７１の搬送向きに沿って延出されたガイド面１９５を有している。支持面１９３上の記録用紙が搬送されるとき、記録用紙における搬送向きに沿った端縁は、ガイド面１９５によって案内される。
【００５２】
サイドガイド１９４は、支持部材１９２の支持面１９３に沿った支持面１９６を有する。つまり、サイドガイド１９４は、ガイド面１９５と支持面１９６とが直交するＬ字形状をなしている。支持面１９６は、支持面１９３とは僅かに段差があるものの、実質的に同一の平面をなしており、支持面１８８，１９３とともに記録用紙を支持する。一対のサイドガイド１９４が左右方向９に沿って離間する距離は可変である。これにより、支持面１９３，１９６に支持された様々なサイズの記録用紙の端縁をサイドガイド１９４のガイド面１９５によって案内することができる。
【００５３】
図３及び図６に示されるように、バイパストレイ７１の面４５（支持部材１８９の支持面１８８）に、２つの凹部４６が設けられている。後述する押さえアーム７３の他端５０が凹部４６に挿入される。２つの凹部４６は、給送向き８７において同位置に設けられている。また、２つの凹部４６は、左右方向９において、一対の給送ローラ７５の右側及び左側に設けられている。つまり、２つの凹部４６は、一対の給送ローラ７５を挟むように設けられている。
【００５４】
図６に示されるように、各凹部４６は、第１傾斜面４７と第２傾斜面４８とを備えている。第１傾斜面４７は、各凹部４６の給送向き８７上流側を構成している。第１傾斜面４７は、給送向き８７下流側に向かうに従って支持面１８８から離間するように傾斜している。第１傾斜面４７の傾斜角度は、後述する押さえアーム７３が第１位置のときの傾斜角度と略同一である。
【００５５】
第２傾斜面４８は、各凹部４６の給送向き８７下流側を構成している。第２傾斜面４８は、第１傾斜面４７の給送向き８７下流端と連続しており、給送向き８７下流側へ向かうに従って支持面１８８に近づくように傾斜している。
【００５６】
なお、凹部４６の形状は、押さえアーム７３の他端５０が挿入可能であることを条件として、上述したような第１傾斜面４７及び第２傾斜面４８によって区画された形状に限らない。例えば、凹部４６は、矩形状に凹んでいてもよい。
【００５７】
［給送ローラ７５及び給送アーム７６］
図６に示されるように、給送ローラ７５は、バイパストレイ７１の前方に配置されている。給送ローラ７５は、支持部材１８９の支持面１８８に当接可能である。給送ローラ７５の回転軸８３は左右方向９に延びている。なお、給送ローラ７５は、左右方向９に間隔を空けて２個設けられているが、給送ローラ７５の個数は、２個に限らない。
【００５８】
給送アーム７６は、一方の端部から給送向き８７上流側に向かい且つバイパストレイ７１の面４５から離間した向きに延びている。給送ローラ７５は、給送アーム７６の一方の端部において回転可能に支持されている。回動軸６６が、給送アーム７６の給送向き８７上流端部、つまり給送アーム７６の他方の端部に設けられた孔に挿通されている。これにより、給送アーム７６は、回動軸６６を中心に回動する。その結果、給送ローラ７５は、支持部材１８９の支持面１８８または当該支持面１８８に支持された記録用紙に対して、当接及び離間が可能である。なお、回動軸６６は、上述したように、補強部材１８３に回転可能に支持されている。
【００５９】
給送アーム７６と回動軸６６とは、トーションばね（不図示）によって連結されている。これにより、給送アーム７６は、トーションばねによって分離パッド１７０へ向かって付勢される。なお、給送アーム７６を付勢する構成は、トーションばねによる構成に限らない。例えば、給送アーム７６の前方に、一端を給送アーム７６に接続され且つ他端をプリンタ部１１のフレームに接続されたコイルばねが配置されていてもよい。
【００６０】
本実施形態において、給送アーム７６は、接離機構から駆動力を付与されることで回動可能である。ここで、接離機構の構成は、給送アーム７６を回動軸６６周りに回動させることが可能であるならば、公知の如何なる構成でもよい。バイパストレイ７１に支持された記録用紙の給送を実行するとき、接離機構は、給送アーム７６を、給送ローラ７５が面４５に支持された記録用紙に当接するように矢印６７の向きに回動させる。一方、バイパストレイ７１に支持された記録用紙の給送を実行しないとき、接離機構は、給送アーム７６を、給送ローラ７５が支持部材１８９の支持面１８８から離間するように矢印６８の向きに回動させる。なお、図５及び図６において、給送ローラ７５は、接離機構によって支持面１８８から離間されている。
【００６１】
［押さえアーム７３］
図６に示されるように、押さえアーム７３は、給送アーム７６と同様に、一端４９から給送向き８７下流側に向かい且つ支持部材１８９の支持面１８８に近づく向きに延びている。つまり、押さえアーム７３の一端４９は、他端５０よりも給送向き８７上流側且つ面４５から離間している。回動軸６６が、押さえアーム７３の給送向き８７上流端側、つまり一端４９側に設けられた孔５１に挿通されている。これにより、押さえアーム７３は、給送アーム７６と同様に、回動軸６６を中心に回動する。つまり、押さえアーム７３は、一端４９側を回動軸とし且つ他端５０側を先端側として回動可能である。その結果、押さえアーム７３の先端側は、支持面１８８または当該支持面１８８に支持された記録用紙に対して、当接及び離間が可能である。
【００６２】
上述したように、回動軸６６は、給送アーム７６及び押さえアーム７３の双方に挿通されている。そのため、給送アーム７６と押さえアーム７３の回動軸線は同一である。また、給送アーム７６及び押さえアーム７３は互いに独立して回動可能である。
【００６３】
押さえアーム７３の他端５０は、図６に示されるように、左側または右側（紙面に対して鉛直方向）から見て給送向き８７下流側に向かって凸となるように湾曲している。
【００６４】
押さえアーム７３は、支持部材１８９の支持面１８８に設けられた凹部４６と同数設けられている。つまり、本実施形態において、押さえアーム７３は、給送ローラ７５の右方及び左方に１つずつ設けられている。２つの押さえアーム７３の各々は、２つの凹部４６の各々と対応している。
【００６５】
左右方向９における、押さえアーム７３の他端５０側の幅は、対応する凹部４６の幅よりも短い。これにより、図６に示されるように、押さえアーム７３の他端５０は、凹部４６に進入可能である。このときの押さえアーム７３の位置が第１位置に相当する。一方、押さえアーム７３が第１位置から矢印６８の向きに回動することによって、押さえアーム７３の他端５０は、凹部４６から退避可能である。このときの押さえアーム７３の位置、が第２位置に相当する。押さえアーム７３は、第１位置と第２位置との間を回動可能である。
【００６６】
図６に示されるように、押さえアーム７３が第１位置のとき、押さえアーム７３の給送向き８７上流側の面のうち、凹部４６に進入していない部分である面５３は、給送ローラ７５よりも給送向き８７上流側に位置する。押さえアーム７３が第２位置のとき、押さえアーム７３の他端５０は、給送ローラ７５よりも給送向き８７下流側に位置する。
【００６７】
押さえアーム７３と回動軸６６とは、トーションばね５２によって連結されている。これにより、押さえアーム７３は、トーションばね５２によって第１位置側へ付勢される。なお、押さえアーム７３を付勢する構成は、トーションばね５２による構成に限らない。例えば、押さえアーム７３の前方に、一端を押さえアーム７３に接続され且つ他端をプリンタ部１１のフレームに接続されたコイルばねが配置されていてもよい。
【００６８】
［支持部材１８９，１９２及び分離パッド１７０］
図７から図９に示されるように、支持部材１８９の支持面１８８において、給送ローラ７５が当接する位置には２枚の分離パッド１７０が設けられている。各分離パッド１７０は、記録用紙に対して、支持面１８８の摩擦係数より大きな摩擦係数を有する材料で形成されている。分離パッド１７０は、厚みがほぼ均一な矩形の平板形状である。
【００６９】
支持部材１８９の支持面１８８において、上下方向７の上端であり且つ左右方向９の中央付近、すなわち給送ローラ７５と対向する２箇所には、凹部１７１が形成されている。各凹部１７１に各分離パッド１７０が挿入されて、凹部１７１の底面１７３に分離パッド１７０がそれぞれ接着されている。凹部１７１が支持面１８８から凹む深さは、分離パッド１７０の厚みより若干短い。したがって、可動支持部１８６が第１位置であるときに、凹部１７１に挿入された分離パッド１７０の上面１７２（表面の一例）は、支持面１８８より若干上方に位置する。換言すれば、分離パッド１７０は、支持面１８８から僅かに突出している。
【００７０】
凹部１７１の底面１７３は、上下方向７における上端側に向かうにつれて支持面１８８から次第に遠ざかるように湾曲されている。この底面１７３の湾曲に沿って、分離パッド１７０の上端側も湾曲している。この湾曲によって、可動支持部１８６が第１位置であるときに、分離パッド１７０の上面１７２の上端は支持面１８８より下方に位置する。すなわち支持面１８８より下方へ凹んでいる。凹部１７１の底面１７３の湾曲は、概ね可動支持部１８６の支軸１９８を中心としている。
【００７１】
図７に示されるように、支持部材１９２の下端側には、左右方向９に渡って膨出部１７４が形成されている。膨出部１７４は、支持面１９３より上方へ膨出する凸形状である。可動支持部１８６が第１位置であるときに、膨出部１７４の上側には支持面１９３から緩やかに上方（支持面１９３から離れる向き）へ傾斜する傾斜面１７５が左右方向９に渡って形成されている。傾斜面１７５の下方側、つまり支持部材１８９側には、傾斜面１７５に連続して膨出端面１７６（膨出端の一例）が形成されている。膨出端面１７６は、支持面１９３とほぼ平行な面である。膨出端面１７６は、支持部材１９２の下端まで延びている。
【００７２】
膨出部１７４における左右方向９の中央部分には、凹部１７７が形成されている。凹部１７７が左右方向９に占める領域（幅）は、２枚の分離パッド１７０の左右方向９における配置を含む。つまり、凹部１７７の左端は、左側の分離パッド１７０より左方に位置しており、また、凹部１７７の右端は、右側の分離パッド１７０より右方に位置している。可動支持部１８６が第１位置であるときに、凹部１７７の底面１７８（膨出端の一例）は、支持部材１９２の支持面１９３及び分離パッド１７０の上面１７２より支持面１８８と直交する方向において上方にあり、かつ膨出部１７４の膨出端面１７６より支持面１８８と直交する方向において支持面１９３に近い位置にある。
【００７３】
凹部１７７の下端（支持部材１８９側の端）には、可動支持部１８６が第１位置であるときに、２枚の分離パッド１７０へ向かってそれぞれ突出する凸片１７９が、底面１７８を延出するように形成されている。各凸片１７９の左右方向９に沿った寸法は、各分離パッド１７０の左右方向９に沿った寸法より小さい。各凸片１７９が分離パッド１７０へ向かって凹部１７７の下端から突出する寸法は、可動支持部１８６が第１位置と第２位置との間を回動するときに、各凸片１７９が分離パッド１７０と当接しない程度に設定されている。
【００７４】
図８及び図９に示されるように、支持部材１９２が支軸１９８周りを第１位置と第２位置との間で回動すると、凸片１７９の先端も支軸１９８周りに移動する。支持部材１８９の凹部１７１の底面１７３の湾曲は、概ね可動支持部１８６の支軸１９８を中心としているので、その湾曲に沿った分離パッド１７０の上面１７２と凸片１７９の先端との距離は、支持部材１９２の回動において概ね一定となる。
【００７５】
図８に示されるように、支持部材１９２が第１位置であるときに、バイパストレイ７１に装填される記録用紙は、支持部材１９２の支持面１９３に沿って斜め下方へ向かって挿入される。このとき、記録用紙の先端は、支持面１９３から膨出部１７４の傾斜面１７５に沿って膨出端面１７６へ案内される。膨出端面１７６は、支持面１８８，１９３より、支持面１８８と直交する方向において上方にある。つまり、膨出端面１７６から支持面１８３，１９３へは下方へ下がる段差になっている。これにより、膨出端面１７６を通過した記録用紙の先端は、支持面１８８の上端の角に当接することなく、支持面１８８に着地する。
【００７６】
また、膨出部１７４の凹部１７７においては、底面１７８に沿って記録用紙の先端が案内される。凹部１７７の底面１７８は、支持面１８８及び分離パッド１７０の上面１７２より、支持面１８８と直交する方向において上方にある。つまり、底面１７８から上面１７２又は支持面１８８へは下方へ下がる段差になっている。これにより、底面１７８を通過した記録用紙の先端は、支持面１８８の上端の角及び分離パッド１７０の上面１７２の上端の角に当接することなく、支持面１８８又は分離パッド１７０の上面１７２に着地する。また、凸片１７９により底面１７８と分離パッド１７０の上面１７２との隙間が小さくなっているので、底面１７８を通過した記録用紙の先端は、分離パッド１７０の上面１７２の上端の角に一層当接し難い。
【００７７】
バイパストレイ７１に装填された記録用紙は、押さえアーム７３及び給送ローラ７５によって支持面１８８，１９３に当接した状態に保持される。分離パッド１７０の上端側が支持面１８８より支持面１８８と直交する方向において下方になるように湾曲しているので、支持面１８８，１９３に当接した状態の記録用紙が、分離パッド１７０の上端の角に当接することがない。また、支持部材１９２の左右方向９の中央付近において、膨出部１７４の膨出端面１７６より分離パッド１７０の上面１７２に近い凹部１７７の底面１７８によって記録用紙が支持されている。換言すると、凹部１７７の底面１７８と分離パッド１７０の上面１７２との支持面１８８と直交する方向における段差が、膨出端面１７６と分離パッド１７０の上面１７２との支持面１８８と直交する方向における段差より小さく、その小さい段差の箇所において記録用紙が分離パッド１７０と当接する。したがって、凹部１７７の底面１７８及び分離パッド１７０の上面１７２に共に接触する記録用紙は、その小さい段差の分だけ撓むこととなる。つまり、膨出端面１７６と分離パッド１７０との段差ほどに記録用紙が撓むことがないので、仮に剛性が高い（腰が強い）記録用紙であっても、安定した接地面積で分離パッド１７０に当接する。
【００７８】
［本実施形態の作用効果］
前述されたように給送装置７０によれば、可動支持部１８６を第２位置とすることにより給送装置７０の小型化が実現される。また、支持面１８８の上端において分離パッド１７０の上面１７２が支持面１８８より凹むように湾曲しているので、支軸１９８周りを回動する支持部材１９２が分離パッド１７０に接触して、分離パッド１７０の上面１７２が摩耗したり、凹部１７１から剥がれたりすることを防止できる。支持部材１９２に支持された記録用紙が分離パッド１７０の上端の角に当接することがなく、記録用紙と分離パッド１７０の上面１７２との接地面積が安定する。これにより、バイパストレイ７１において記録用紙の重送が発生する可能性を低くできる。
【００７９】
また、支持部材１９２に、分離パッド１７０へ向かって突出する凸片１７９が設けられているので、凹部１７７の底面１７８と分離パッド１７０との隙間を小さくできる。
【００８０】
また、支持部材１９２に下端に膨出部１７４が設けられているので、支持部材１９２の支持面１９６に沿って支持部材１８９側へ挿入される記録用紙の先端が支持部材１８９の上端に当接することが防止される。また、分離パッド１７０に対応する位置の凹部１７７の底面１７８が、膨出部１７４の膨出端面１７６より分離パッド１７０に近いので、底面１７８と分離パッド１７０の上面１７２との段差が小さく、記録用紙と分離パッド１７０の上面１７２との接地面積が安定する。
【００８１】
［変形例］
なお、前述された実施形態において、支持部材１９２の下端には膨出部１７４が設けられているが、可動支持部１８６が第１位置であるときに、支持部材１９２の支持面１９３が支持部材１８９の支持面１８８及び分離パッド１７０の上面１７２より支持面１８８と直交する方向において上方にあれば、膨出部１７４は省略されてもよい。
【００８２】
また、前述された実施形態において、分離パッド１７０の数は２つであったが、これは給送ローラ７５の数に対応させたものであり、分離パッド１７０の数は２つに限らない。
【００８３】
また、前述された実施形態において、給送装置７０は、バイパストレイ７１に支持された記録用紙を給送する装置であったが、給送装置７０は、給送トレイ２０に支持された記録用紙を給送するための装置であってもよい。例えば、給送トレイ２０において、分離パッド１８１より前側が回動するように構成されていれば、前述されたバイパストレイ７１と同様の構成が採用されることにより、同様の作用効果が奏される。
【００８４】
また、前述された実施形態において、給送装置７０は、プリンタ部１１に設けられていたが、給送装置７０を備える装置はプリンタ部１１に限らない。例えば、給送装置７０は、スキャナ部１２に設けられていてもよい。この場合、給送装置７０は、スキャナ部１２によって画像を読み取られる用紙をスキャナ部１２内部へ給送するものである。
【符号の説明】
【００８５】
１１  プリンタ部（画像記録装置）
２４  記録部
７０  給送装置
７５  給送ローラ
７６  給送アーム
１８５  固定支持部
１８６  可動支持部
１８８  支持面（第１支持面）
１９３  支持面（第２支持面）
１７０  分離パッド
１７２  上面（表面）
１７４  膨出部
１７６  膨出端面（膨出端）
１７７  凹部（膨出部）
１７８  底面（膨出端）
１７９  凸片
【図１】
2015193446.tif 000003
【図２】
2015193446.tif 000004
【図３】
2015193446.tif 000005
【図４】
2015193446.tif 000006
【図５】
2015193446.tif 000007
【図６】
2015193446.tif 000008
【図７】
2015193446.tif 000009
【図８】
2015193446.tif 000010
【図９】
2015193446.tif 000011